(57)【要約】【課題】連動部材及びリターンスプリングを一体構成として組み付け作業性の向上を図ることができるとともに、連動部材及びリターンスプリングの組み付けに必要とされる幅寸法を小さくすることができるスロットルグリップ装置を提供する。【解決手段】スロットルグリップＧの回転操作と共に回転し得る連動部材１と、スロットルグリップＧの回転角度を検出し得る磁気センサ２と、スロットルグリップＧの回転操作時、スロットルグリップＧ及び連動部材１を初期位置に向かって回転方向に付勢するねじりコイルバネから成るリターンスプリング３とを具備したスロットルグリップ装置であって、連動部材１は、収容凹部１ｂに収容されたリターンスプリング３の他端３ｂを係止した状態で連動部材１に取り付けられ、連動部材１及びリターンスプリング３を一体構成とする保持部材４を具備したものである。【選択図】図１２
2020122476.tif 000002
【特許請求の範囲】
【請求項１】
車両のスロットルグリップの回転操作と共に回転し得る連動部材と、
前記連動部材の回転角度を検出することにより前記スロットルグリップの回転角度を検出し得る回転角度検出手段と、
一端が前記連動部材に係止されるとともに、前記スロットルグリップの回転操作時、当該スロットルグリップ及び連動部材を初期位置に向かって回転方向に付勢するねじりコイルバネから成るリターンスプリングと、
を具備し、前記回転角度検出手段で検出された前記スロットルグリップの回転角度に応じて車両のエンジンを制御可能とされたスロットルグリップ装置であって、
前記連動部材は、前記リターンスプリングを収容する収容凹部を有するとともに、当該収容凹部に収容された前記リターンスプリングの他端を係止した状態で前記連動部材に取り付けられ、前記連動部材及びリターンスプリングを一体構成とする保持部材を具備したことを特徴とするスロットルグリップ装置。
【請求項２】
前記保持部材は、前記リターンスプリングの他端を係止する係止部と、前記リターンスプリングで回転方向に付勢された前記連動部材と当接して保持される保持部とを有することを特徴とする請求項１記載のスロットルグリップ装置。
【請求項３】
前記保持部材は、前記収容凹部を塞いだ状態で前記連動部材に取り付けられたことを特徴とする請求項１又は請求項２記載のスロットルグリップ装置。
【請求項４】
前記保持部材は、板状部材から成ることを特徴とする請求項１〜３の何れか１つに記載のスロットルグリップ装置。
【請求項５】
前記リターンスプリングは、前記回転方向に加え、前記連動部材を軸方向に付勢することを特徴とする請求項１〜４の何れか１つに記載のスロットルグリップ装置。
【請求項６】
前記スロットルグリップは、正方向及び逆方向に回転操作可能とされるとともに、前記スロットルグリップが初期位置から正方向に回転操作されたとき、当該スロットルグリップ及び連動部材を前記リターンスプリングにより初期位置に向かって回転方向に付勢するものとされ、且つ、前記スロットルグリップが初期位置から逆方向に回転操作されたとき、当該スロットルグリップ及び連動部材を初期位置に向かって回転方向に付勢する逆回転用リターンスプリングを具備したことを特徴とする請求項１〜５の何れか１つに記載のスロットルグリップ装置。
【請求項７】
前記連動部材は、内径側に前記リターンスプリングが取り付けられるとともに、当該リターンスプリングの取付位置より外径側の部位に前記逆回転用リターンスプリングが取り付けられたことを特徴とする請求項６記載のスロットルグリップ装置。
【請求項８】
前記連動部材は、前記逆回転用リターンスプリングを保持したスライド部材が取り付けられるとともに、前記スロットルグリップが逆方向に回転操作されたとき、当該スライド部材が前記連動部材に対して移動して前記逆回転用リターンスプリングを圧縮し、当該逆回転用リターンスプリングの圧縮で生じた付勢力が前記スロットルグリップに付与されることを特徴とする請求項６又は請求項７記載のスロットルグリップ装置。
【請求項９】
前記スライド部材は、前記連動部材の周方向に延びる円弧状部品から成り、前記スロットルグリップが逆方向に回転操作されたとき、前記連動部材の周方向に移動して前記逆回転用リターンスプリングを圧縮可能とされたことを特徴とする請求項８記載のスロットルグリップ装置。
【請求項１０】
前記回転角度検出手段は、前記連動部材の所定位置に取り付けられた磁石から生じる磁気の変化を検出することにより前記連動部材の回転角度を検出し得るセンサから成るとともに、前記磁石及びスライド部材は、前記連動部材の周方向に並設されたことを特徴とする請求項６〜９の何れか１つに記載のスロットルグリップ装置。
【請求項１１】
前記スロットルグリップの正方向及び逆方向の回転操作を前記回転角度検出手段で検知可能とされたことを特徴とする請求項６〜１０の何れか１つに記載のスロットルグリップ装置。
【請求項１２】
前記スロットルグリップの正方向の回転操作を前記回転角度検出手段で検知するとともに、前記スロットルグリップの逆方向の回転操作を検知可能なマイクロスイッチを具備したことを特徴とする請求項６〜１０の何れか１つに記載のスロットルグリップ装置。
【請求項１３】
前記マイクロスイッチは、突出及び後退して作動可能な作動部を具備するとともに、前記連動部材は、一方の面に傾斜面を有する突出部が形成され、且つ、前記作動部の作動方向が前記連動部材の突出部の一方の面に対して直交する方向となるよう前記マイクロスイッチが取り付けられ、前記連動部材が逆方向に回転すると、前記作動部が前記傾斜面にて押圧されてオンすることを特徴とする請求項１２記載のスロットルグリップ装置。
【請求項１４】
前記連動部材は、スロットルグリップと別体とされたことを特徴とする請求項１〜１３の何れか１つに記載のスロットルグリップ装置。
【請求項１５】
前記連動部材は、スロットルグリップと一体とされたことを特徴とする請求項１〜１３の何れか１つに記載のスロットルグリップ装置。
【発明の詳細な説明】
【技術分野】
【０００１】
本発明は、スロットルグリップの回転操作に基づいて車両のエンジンが制御されるスロットルグリップ装置に関するものである。
【背景技術】
【０００２】
近時の二輪車においては、スロットルグリップの回転角度をポテンショメータ等のスロットル開度センサにて検出し、その検出値を電気信号として当該二輪車が搭載する電子制御装置等に送るよう構成されたスロットルグリップ装置が普及されるに至っている。そして、かかる検出信号に基づき電子制御装置が所定の演算を行い、その演算結果に基づいてエンジンの点火時期、吸気バルブ若しくはスロットルバルブの開閉が制御されるようになっている。
【０００３】
従来のスロットルグリップ装置として、例えば特許文献１にて開示されたものが挙げられる。かかる従来のスロットルグリップ装置は、スロットルグリップと連動する連動部材に磁石を取り付けるとともに、その磁石の磁気変化を磁気センサにて検出することにより、連動部材及びスロットルグリップの回転角度を検出してエンジン制御が行われるようになっていた。
【０００４】
また、従来のスロットルグリップ装置は、スロットルグリップ及び連動部材を初期位置に向かって回転方向に付勢するねじりコイルバネから成るリターンスプリングを具備しており、スロットルグリップの回転操作時、リターンスプリングの付勢力が連動部材に付与されるよう構成されていた。これにより、スロットルグリップを回転操作した後、運転者の把持力を緩めることにより、リターンスプリングの付勢力によってスロットルグリップが初期位置に戻るようになっていた。
【先行技術文献】
【特許文献】
【０００５】
【特許文献１】特開２０１５−８１５６４号公報
【発明の概要】
【発明が解決しようとする課題】
【０００６】
しかしながら、上記従来技術においては、連動部材及びリターンスプリングをそれぞれケースに組み付ける必要があることから、組み付け作業性を向上させる要求が高まりつつあった。また、リターンスプリングを連動部材と隣接した位置に配設すると、これらリターンスプリング及び連動部材の組み付けに必要とされる幅寸法が大きくなってしまうという不具合もあった。
【０００７】
本発明は、このような事情に鑑みてなされたもので、連動部材及びリターンスプリングを一体構成として組み付け作業性の向上を図ることができるとともに、連動部材及びリターンスプリングの組み付けに必要とされる幅寸法を小さくすることができるスロットルグリップ装置を提供することにある。
【課題を解決するための手段】
【０００８】
請求項１記載の発明は、車両のスロットルグリップの回転操作と共に回転し得る連動部材と、前記連動部材の回転角度を検出することにより前記スロットルグリップの回転角度を検出し得る回転角度検出手段と、一端が前記連動部材に係止されるとともに、前記スロットルグリップの回転操作時、当該スロットルグリップ及び連動部材を初期位置に向かって回転方向に付勢するねじりコイルバネから成るリターンスプリングとを具備し、前記回転角度検出手段で検出された前記スロットルグリップの回転角度に応じて車両のエンジンを制御可能とされたスロットルグリップ装置であって、前記連動部材は、前記リターンスプリングを収容する収容凹部を有するとともに、当該収容凹部に収容された前記リターンスプリングの他端を係止した状態で前記連動部材に取り付けられ、前記連動部材及びリターンスプリングを一体構成とする保持部材を具備したことを特徴とする。
【０００９】
請求項２記載の発明は、請求項１記載のスロットルグリップ装置において、前記保持部材は、前記リターンスプリングの他端を係止する係止部と、前記リターンスプリングで回転方向に付勢された前記連動部材と当接して保持される保持部とを有することを特徴とする。
【００１０】
請求項３記載の発明は、請求項１又は請求項２記載のスロットルグリップ装置において、前記保持部材は、前記収容凹部を塞いだ状態で前記連動部材に取り付けられたことを特徴とする。
【００１１】
請求項４記載の発明は、請求項１〜３の何れか１つに記載のスロットルグリップ装置において、前記保持部材は、板状部材から成ることを特徴とする。
【００１２】
請求項５記載の発明は、請求項１〜４の何れか１つに記載のスロットルグリップ装置において、前記リターンスプリングは、前記回転方向に加え、前記連動部材を軸方向に付勢することを特徴とする。
【００１３】
請求項６記載の発明は、請求項１〜５の何れか１つに記載のスロットルグリップ装置において、前記スロットルグリップは、正方向及び逆方向に回転操作可能とされるとともに、前記スロットルグリップが初期位置から正方向に回転操作されたとき、当該スロットルグリップ及び連動部材を前記リターンスプリングにより初期位置に向かって回転方向に付勢するものとされ、且つ、前記スロットルグリップが初期位置から逆方向に回転操作されたとき、当該スロットルグリップ及び連動部材を初期位置に向かって回転方向に付勢する逆回転用リターンスプリングを具備したことを特徴とする
【００１４】
請求項７記載の発明は、請求項６記載のスロットルグリップ装置において、前記連動部材は、内径側に前記リターンスプリングが取り付けられるとともに、当該リターンスプリングの取付位置より外径側の部位に前記逆回転用リターンスプリングが取り付けられたことを特徴とする。
【００１５】
請求項８記載の発明は、請求項６又は請求項７記載のスロットルグリップ装置において、前記連動部材は、前記逆回転用リターンスプリングを保持したスライド部材が取り付けられるとともに、前記スロットルグリップが逆方向に回転操作されたとき、当該スライド部材が前記連動部材に対して移動して前記逆回転用リターンスプリングを圧縮し、当該逆回転用リターンスプリングの圧縮で生じた付勢力が前記スロットルグリップに付与されることを特徴とする。
【００１６】
請求項９記載の発明は、請求項８記載のスロットルグリップ装置において、前記スライド部材は、前記連動部材の周方向に延びる円弧状部品から成り、前記スロットルグリップが逆方向に回転操作されたとき、前記連動部材の周方向に移動して前記逆回転用リターンスプリングを圧縮可能とされたことを特徴とする。
【００１７】
請求項１０記載の発明は、請求項６〜９の何れか１つに記載のスロットルグリップ装置において、前記回転角度検出手段は、前記連動部材の所定位置に取り付けられた磁石から生じる磁気の変化を検出することにより前記連動部材の回転角度を検出し得るセンサから成るとともに、前記磁石及びスライド部材は、前記連動部材の周方向に並設されたことを特徴とする。
【００１８】
請求項１１記載の発明は、請求項６〜１０の何れか１つに記載のスロットルグリップ装置において、前記スロットルグリップの正方向及び逆方向の回転操作を前記回転角度検出手段で検知可能とされたことを特徴とする。
【００１９】
請求項１２記載の発明は、請求項６〜１０の何れか１つに記載のスロットルグリップ装置において、前記スロットルグリップの正方向の回転操作を前記回転角度検出手段で検知するとともに、前記スロットルグリップの逆方向の回転操作を検知可能なマイクロスイッチを具備したことを特徴とする。
【００２０】
請求項１３記載の発明は、請求項１２記載のスロットルグリップ装置において、前記マイクロスイッチは、突出及び後退して作動可能な作動部を具備するとともに、前記連動部材は、一方の面に傾斜面を有する突出部が形成され、且つ、前記作動部の作動方向が前記連動部材の突出部の一方の面に対して直交する方向となるよう前記マイクロスイッチが取り付けられ、前記連動部材が逆方向に回転すると、前記作動部が前記傾斜面にて押圧されてオンすることを特徴とする。
【００２１】
請求項１４記載の発明は、請求項１〜１３の何れか１つに記載のスロットルグリップ装置において、前記連動部材は、スロットルグリップと別体とされたことを特徴とする。
【００２２】
請求項１５記載の発明は、請求項１〜１３の何れか１つに記載のスロットルグリップ装置において、前記連動部材は、スロットルグリップと一体とされたことを特徴とする。
【発明の効果】
【００２３】
請求項１の発明によれば、連動部材は、リターンスプリングを収容する収容凹部を有するとともに、当該収容凹部に収容されたリターンスプリングの他端を係止した状態で連動部材に取り付けられ、連動部材及びリターンスプリングを一体構成とする保持部材を具備したので、連動部材及びリターンスプリングを一体構成として組み付け作業性の向上を図ることができるとともに、連動部材及びリターンスプリングの組み付けに必要とされる幅寸法を小さくすることができる。
【００２４】
請求項２の発明によれば、保持部材は、リターンスプリングの他端を係止する係止部と、リターンスプリングで回転方向に付勢された連動部材と当接して保持される保持部とを有するので、連動部材に対してリターンスプリングによる付勢力を確実に付与させることができるとともに、連動部材及びリターンスプリングの一体構成を確実に保持することができる。
【００２５】
請求項３の発明によれば、保持部材は、収容凹部を塞いだ状態で連動部材に取り付けられたので、収容凹部に異物等が入り込んでしまうのを回避でき、リターンスプリングによる連動部材に対する付勢力の付与を確実に行わせることができる。
【００２６】
請求項４の発明によれば、保持部材は、板状部材から成るので、スロットルグリップ装置の薄型化を図ることができる。
【００２７】
請求項５の発明によれば、リターンスプリングは、回転方向に加え、連動部材を軸方向に付勢するので、連動部材を軸方向に対して弾力を有しつつ押圧してガタを吸収することができ、連動部材の回転を安定して行わせることができるとともに、スロットルグリップの操作性を維持させることができる。
【００２８】
請求項６の発明によれば、スロットルグリップは、正方向及び逆方向に回転操作可能とされるとともに、スロットルグリップが初期位置から正方向に回転操作されたとき、当該スロットルグリップ及び連動部材をリターンスプリングにより初期位置に向かって回転方向に付勢するものとされ、且つ、スロットルグリップが初期位置から逆方向に回転操作されたとき、当該スロットルグリップ及び連動部材を初期位置に向かって回転方向に付勢する逆回転用リターンスプリングを具備したので、スロットルグリップの正方向の回転操作時と逆方向の回転操作時との操作感を異ならせることができ、それぞれの操作時において適切な付勢力を付与させることができる。
【００２９】
請求項７の発明によれば、連動部材は、内径側にリターンスプリングが取り付けられるとともに、当該リターンスプリングの取付位置より外径側の部位に逆回転用リターンスプリングが取り付けられたので、連動部材の径方向にリターンスプリング及び逆回転用リターンスプリングを配設することができ、幅方向の寸法が増大してしまうのを抑制することができる。
【００３０】
請求項８の発明によれば、連動部材は、逆回転用リターンスプリングを保持したスライド部材が取り付けられるとともに、スロットルグリップが逆方向に回転操作されたとき、当該スライド部材が連動部材に対して移動して逆回転用リターンスプリングを圧縮し、当該逆回転用リターンスプリングの圧縮で生じた付勢力がスロットルグリップに付与されるので、スロットルグリップの逆方向の回転力をスライド部材に円滑且つ確実に伝達させることができ、スロットルグリップに対して逆回転用リターンスプリングの付勢力を効率的に付与させることができる。
【００３１】
請求項９の発明によれば、スライド部材は、連動部材の周方向に延びる円弧状部品から成り、スロットルグリップが逆方向に回転操作されたとき、連動部材の周方向に移動して逆回転用リターンスプリングを圧縮可能とされたので、スライド部材及びその移動範囲を連動部材に対して容易に形成することができる。
【００３２】
請求項１０の発明によれば、回転角度検出手段は、連動部材の所定位置に取り付けられた磁石から生じる磁気の変化を検出することにより連動部材の回転角度を検出し得るセンサから成るとともに、磁石及びスライド部材は、連動部材の周方向に並設されたので、連動部材の径方向の寸法が増大してしまうのを抑制することができ、スロットルグリップ装置の小型化を図ることができる。
【００３３】
請求項１１の発明によれば、スロットルグリップの正方向及び逆方向の回転操作を回転角度検出手段で検知可能とされたので、スロットルグリップの逆方向の回転操作を検知するための別個のスイッチを不要とすることができ、部品点数を削減することができる。
【００３４】
請求項１２の発明によれば、スロットルグリップの正方向の回転操作を回転角度検出手段で検知するとともに、スロットルグリップの逆方向の回転操作を検知可能なマイクロスイッチを具備したので、スロットルグリップの逆方向の回転操作をマイクロスイッチにより確実に検知することができ、エンジン始動時の操作性をより向上させることができる。
【００３５】
請求項１３の発明によれば、作動部の作動方向が連動部材の突出部の一方の面に対して直交する方向となるようマイクロスイッチが取り付けられ、連動部材が逆方向に回転すると、作動部が傾斜面にて押圧されてオンするので、連動部材が逆方向に回転した際、マイクロスイッチの作動部を適正なストロークの範囲で押圧させることができる。
【００３６】
請求項１４の発明によれば、連動部材は、スロットルグリップと別体とされたので、スロットルグリップに付与された過大な荷重が連動部材に伝達されてしまうのを抑制することができるとともに、連動部材又はスロットルグリップの交換を容易にすることができる。
【００３７】
請求項１５の発明によれば、連動部材は、スロットルグリップと一体とされたので、連動部材がスロットルグリップと別体とされたものに比べ、部品点数を削減することができるとともに、スロットルグリップ装置の組み付け作業性を向上させることができる。
【図面の簡単な説明】
【００３８】
【図１】本発明の第１の実施形態に係るスロットルグリップ装置の外観を示す正面図及び側面図
【図２】図１におけるＩＩ−ＩＩ線断面図
【図３】図１におけるＩＩＩ−ＩＩＩ線断面図
【図４】同スロットルグリップ装置のケースを示す斜視図
【図５】同スロットルグリップ装置の連動部材を示す３面図
【図６】同連動部材を示す斜視図
【図７】同連動部材にリターンスプリングを組み付けた状態を示す３面図
【図８】同連動部材にリターンスプリングを組み付けた状態を示す斜視図
【図９】同スロットルグリップ装置のリターンスプリングを示す斜視図
【図１０】同スロットルグリップ装置の保持部材を示す３面図
【図１１】同保持部材によって一体構成とされた連動部材及びリターンスプリングを示す平面図及び側面図
【図１２】同保持部材によって一体構成とされた連動部材及びリターンスプリングを示す斜視図
【図１３】同保持部材によって一体構成とされた連動部材及びリターンスプリングを示す斜視図
【図１４】本発明の第２の実施形態に係るスロットルグリップ装置の外観を示す正面図及び側面図
【図１５】図１４におけるＸＶ−ＸＶ線断面図
【図１６】図１４におけるＸＶＩ−ＸＶＩ線断面図
【図１７】同スロットルグリップ装置の連動部材を示す３面図
【図１８】同連動部材を示す斜視図
【図１９】同連動部材にリターンスプリング及びスライド部材を組み付けた状態を示す３面図
【図２０】同連動部材にリターンスプリング及びスライド部材を組み付けた状態を示す斜視図
【図２１】同保持部材によって連動部材、リターンスプリング及び逆回転用リターンスプリングが一体構成とされた状態を示す平面図及び側面図
【図２２】同保持部材によって連動部材、リターンスプリング及び逆回転用リターンスプリングが一体構成とされた状態を示す斜視図
【図２３】同保持部材によって連動部材、リターンスプリング及び逆回転用リターンスプリングが一体構成とされた状態を示す斜視図
【図２４】同スロットルグリップ装置のスライド部材を示す５面図
【図２５】図２４におけるＸＸＶ−ＸＸＶ線断面図
【図２６】同スライド部材を示す斜視図
【図２７】同スライド部材を示す斜視図
【図２８】本発明の第３の実施形態に係るスロットルグリップ装置の外観を示す正面図及び側面図
【図２９】図２８におけるＸＸＩＸ−ＸＸＩＸ線断面図
【図３０】図２８におけるＸＸＸ−ＸＸＸ線断面図
【図３１】図３０におけるＸＸＸＩ−ＸＸＸＩ線断面図
【図３２】同スロットルグリップ装置のケースを示す斜視図
【図３３】同スロットルグリップ装置の連動部材を示す３面図
【図３４】同連動部材を示す斜視図
【図３５】同連動部材にリターンスプリング及びスライド部材を組み付けた状態を示す３面図
【図３６】同連動部材にリターンスプリング及びスライド部材を組み付けた状態を示す斜視図
【図３７】同保持部材によって連動部材、リターンスプリング及び逆回転用リターンスプリングが一体構成とされた状態を示す３面図
【図３８】同保持部材によって連動部材、リターンスプリング及び逆回転用リターンスプリングが一体構成とされた状態を示す斜視図
【図３９】同保持部材によって連動部材、リターンスプリング及び逆回転用リターンスプリングが一体構成とされた状態を示す斜視図
【図４０】同スロットルグリップ装置のマイクロスイッチの取付状態を示す模式図
【図４１】同スロットルグリップ装置のマイクロスイッチの取付状態を示す側面図
【図４２】他の形態の保持部材であってスロットルグリップと一体化された保持部材が適用されたスロットルグリップ装置を示す断面図
【図４３】同他の形態の保持部材であってスロットルグリップと一体化された保持部材を示す斜視図
【発明を実施するための形態】
【００３９】
以下、本発明の実施形態について図面を参照しながら具体的に説明する。
第１の実施形態に係るスロットルグリップ装置は、図１に示すように、二輪車のハンドルパイプに取り付けられたスロットルグリップＧの回転角度を検出し、その検出信号を二輪車が搭載するＥＣＵ等電子制御装置に送信するためのもので、図１〜１０に示すように、連動部材１と、磁気センサ２（回転角度検出手段）と、リターンスプリング３と、保持部材４と、ケースＣとを有して構成されている。
【００４０】
連動部材１は、車両のスロットルグリップＧの回転操作と共に回転し得るもので、図５、６に示すように、略円筒形状の樹脂成形品から成り、スロットルグリップＧの嵌合部Ｇａ（図２参照）を嵌合し得る被嵌合部１ａと、リターンスプリング３を収容するための収容凹部１ｂと、リターンスプリング３の一端３ａを係止するための係止部１ｃと、所定位置で突出したストッパ部１ｄとが形成されている。
【００４１】
また、本実施形態に係る連動部材１は、その一方の端面に円弧状の磁石ｍが取り付けられている。かかる磁石ｍは、周方向に対して磁界が連続的に変化するよう構成されており、連動部材１の回転に伴って回動し得るようになっている。かかる磁石ｍは、円弧状に屈曲しつつ高さが連続的に変化するヘリカル面を有したものであってもよく、その場合、連動部材１に取り付けられた状態で、ヘリカル面と対峙させて磁気センサ２（回転角度検出手段）を配設させる必要がある。
【００４２】
さらに、収容凹部１ｂは、連動部材１の一方の端面において円環状に形成された溝形状から成り、その一部に係止部１ｃが形成されている。そして、収容凹部１ｂにリターンスプリング３を収容すると、図７、８に示すように、コイル部３ｃが収容凹部１ｂに嵌入されるとともに、一端３ａが係止部１ｃに嵌入して係止されるようになっている。これにより、リターンスプリング３が連動部材１に内在されることとなり、幅寸法を小さくすることができる。
【００４３】
ケースＣは、二輪車（車両）のハンドルパイプＨ（図３参照）の先端側（スロットルグリップＧの基端側）に固定されたもので、図３、４に示すように、下ケースＣａ及び上ケースＣｂをボルトＢ（図３参照）にて組み付けて構成される。これら下ケースＣａ及び上ケースＣｂには、図４に示すように、それぞれ収容凹部が形成されており、下ケースＣａ及び上ケースＣｂが組み付けられることにより、内部に収容空間が形成されるようになっている。
【００４４】
また、下ケースＣａは、図２、３に示すように、連動部材１の一方の端面が接触して摺動可能な摺動面Ｎを有するとともに、磁石ｍの磁気変化を検出し得る位置に磁気センサ２が取り付けられるよう構成されている。なお、下ケースＣａの壁面には、図４に示すように、ネジ穴ｎが形成されており、下ケースＣａ内の所定位置に保持部材４をネジ止め可能とされている。
【００４５】
磁気センサ２（回転角度検出手段）は、図２、３に示すように、下ケースＣａの所定位置に配設されたセンサから成り、磁石ｍから生じる磁気の変化を検出することにより、連動部材１の回転角度を検出し、スロットルグリップＧの回転角度を検出可能とされている。具体的には、磁気センサ２は、磁石ｍの磁場変化（磁束密度の変化）に応じた出力電圧を得ることができるもので、例えばホール効果を利用した磁気センサであるホール素子（具体的には、磁石ｍの磁場（磁束密度）に比例した出力電圧を得ることができるリニアホールＩＣ）等により構成されている。しかして、スロットルグリップＧが回転操作されて連動部材１が回転するのに伴い、磁石ｍが回動すると、磁気が変化することとなる。
【００４６】
これにより、連動部材１の回転角度によって磁気が変化するので、当該回転角度に応じた出力電圧を得ることができ、当該出力電圧に基づき連動部材１の回転角度（即ち、スロットルグリップＧの回転角度）を検出することが可能とされている。このように検出されたスロットルグリップＧの回転角度は、二輪車に搭載されたＥＣＵ（エンジン・コントロール・ユニット）に対して電気信号として送信され、送信されたスロットルグリップＧの回転角度に応じて車両のエンジンが制御され得るようになっている。なお、図中符号ｈは、磁気センサ２から延設された配線を示しており、かかる配線ｈを介して車両側に検出信号が送信されるよう構成されている。
【００４７】
リターンスプリング３は、スロットルグリップＧの回転操作時、当該スロットルグリップＧ及び連動部材１を初期位置に向かって回転方向αに付勢するねじりコイルバネから成り、図９に示すように、連動部材１の係止部１ｃに係止される一端３ａ、保持部材４の係止部４ａに係止される他端３ｂ、及び一端３ａ及び他端３ｂの間に位置するコイル部３ｃとを有して構成されている。
【００４８】
このように、リターンスプリング３は、その一端３ａが連動部材１に取り付けられ、且つ、他端３ｂが保持部材４に取り付けられて組み付けられており、スロットルグリップＧを回転させると、リターンスプリング３の付勢力に抗して連動部材１が回転するので、その付勢力がスロットルグリップＧに伝わり、スロットルグリップＧ及び連動部材１を初期位置に戻す力が作用するのである。
【００４９】
保持部材４は、連動部材１を位置決めしつつ回転可能に保持するとともに、リターンスプリング３の他端３ｂを係止しつつ保持するもので、図１０に示すように、リターンスプリング３の他端３ｂを係止する係止部４ａと、連動部材１を位置決めしつつ保持する案内部４ｂと、所定位置に形成された保持部４ｃとが形成された金属製の板状部材から成る。なお、保持部材４の所定位置には、ネジ穴ｎが形成されており、下ケースＣａ内の所定位置に保持部材４をネジ止め可能とされている。
【００５０】
係止部４ａは、保持部材４の一部を折り曲げ形成して得られた部位から成るもので、リターンスプリング３の他端３ｂを確実に係止し得るよう構成されている。案内部４ｂは、保持部材４の一部をバーリング加工等により円環状に突出形成された部位から成り、図２に示すように、連動部材１に一体形成された円環状壁部１ｅ（図８参照）を挿通することにより連動部材１を回転可能に嵌合して位置決め（特に、径方向の位置決め）可能とされている。
【００５１】
保持部４ｃは、リターンスプリング３で回転方向に付勢された連動部材１のストッパ部１ｄと当接して保持されるものである。すなわち、図７、８に示すように、収容凹部１ｂにリターンスプリング３を収容した状態において、リターンスプリング３の他端３ｂを保持部材４の係止部４ａに係止した後、リターンスプリング３のコイル部３ｃが捩れて所定の付勢力が生じる方向に保持部材４及び連動部材１を相対的に一定角度回転させ、連動部材１のストッパ部１ｄに保持部材４の保持部４ｃを当接させる。この当接状態においては、保持部材４の保持部４ｃがリターンスプリング３の回転方向αの付勢力を受けるので、保持部材４がリターンスプリング３で回転方向αに付勢された連動部材１を保持することができる。
【００５２】
これにより、保持部材４は、収容凹部１ｂに収容されたリターンスプリング３の他端３ｂを係止して連動部材１を回転方向αに対して所定の付勢力を持って保持するので、図１１〜１３に示すように、連動部材１及びリターンスプリング３が一体構成とされる。このように、保持部材４により一体構成とされた連動部材１及びリターンスプリング３は、ユニットＹとされ、図２に示すように、ケースＣ内の所定位置に取り付けられて固定される。
【００５３】
さらに、本実施形態に係るリターンスプリング３は、回転方向αに加え、連動部材１を軸方向βに付勢するものとされている。具体的には、本実施形態に係るリターンスプリング３は、図９に示すように、隣合う巻き線の間に隙間を生じさせたコイル部３ｃとされており、保持部材４により一体構成とされた状態（図１１〜１３で示すユニットＹとされた状態）において、図２に示すように、ケースＣに収容されると、コイル部３ｃの巻き線の間の隙間が小さくなる方向に圧縮されることとなり、連動部材１を軸方向βに付勢するようになっている。これにより、連動部材１は、リターンスプリング３による軸方向βの付勢力にて一方の端面がケースＣの摺動面Ｎに押圧された状態で組み付けられることとなる。
【００５４】
しかして、スロットルグリップＧを回転操作すると、連動部材１がリターンスプリング３の回転方向αの付勢力に抗して回転し、当該連動部材１の一方の端面がケースＣの摺動面Ｎに押圧された状態で摺動することとなる。一方、スロットルグリップＧを初期位置から反対側に向かって回転操作しようとした場合、連動部材１のストッパ部１ｄが保持部材４の保持部４ｃと当接しているので、スロットルグリップＧを初期位置から反対側に向かって回転操作するのを防止できるようになっている。
【００５５】
本実施形態によれば、連動部材１を位置決めしつつ回転可能に保持するとともに、リターンスプリング３の他端３ｂを係止しつつ保持した保持部材４を具備したので、連動部材１の回転を安定して行わせることができるとともに、リターンスプリング３の係止を適切な位置で行わせることができる。また、本実施形態に係る保持部材４は、円環状に突出形成された案内部４ｂを有するとともに、当該案内部４ｂに連動部材１を回転可能に嵌合して位置決めするので、簡易な構成で連動部材１の位置決め、特に径方向の位置決めを確実に行わせることができる。
【００５６】
さらに、本実施形態に係る保持部材４は、案内部と、リターンスプリング３の他端３ｂを係止する係止部４ａと、リターンスプリング３で回転方向αに付勢された連動部材１と当接して保持される保持部４ｃとを有するので、案内部４ｂによる連動部材１の径方向の位置決めと、係止部４ａによるリターンスプリング３の係止と、保持部４ｃによる連動部材１に対する保持部材４の保持とを併せて行わせることができる。特に、本実施形態に係る保持部材４は、板状部材から成るので、スロットルグリップ装置の薄型化を図ることができる。
【００５７】
またさらに、本実施形態に係るリターンスプリング３は、回転方向αに加え、連動部材１を軸方向βに付勢するので、連動部材１を軸方向βに対して弾力を有しつつ押圧してガタを吸収することができ、連動部材１の回転を安定して行わせることができるとともに、スロットルグリップＧの操作性を維持させることができる。また、本実施形態に係る連動部材１は、スロットルグリップＧと別体とされたので、スロットルグリップＧに付与された過大な荷重が連動部材に伝達されてしまうのを抑制することができるとともに、連動部材１又はスロットルグリップＧの交換を容易にすることができる。
【００５８】
加えて、本実施形態によれば、連動部材１は、リターンスプリング３を収容する収容凹部１ｂを有するとともに、当該収容凹部１ｂに収容されたリターンスプリング３の他端３ｂを係止した状態で連動部材１に取り付けられ、連動部材１及びリターンスプリング３を一体構成とする保持部材４を具備したので、連動部材１及びリターンスプリング３を一体構成として組み付け作業性の向上を図ることができるとともに、連動部材１及びリターンスプリング３の組み付けに必要とされる幅寸法を小さくすることができる。
【００５９】
また、本実施形態に係る保持部材４は、リターンスプリング３の他端３ｂを係止する係止部４ａと、リターンスプリング３で回転方向αに付勢された連動部材１と当接して保持される保持部４ｃとを有するので、連動部材１に対してリターンスプリング３による付勢力を確実に付与させることができるとともに、連動部材１及びリターンスプリング３の一体構成を確実に保持することができる。さらに、本実施形態に係る保持部材４は、収容凹部１ｂを塞いだ状態で連動部材１に取り付けられたので、収容凹部１ｂに異物等が入り込んでしまうのを回避でき、リターンスプリング３による連動部材１に対する付勢力の付与を確実に行わせることができる。
【００６０】
次に、本発明に係る第２の実施形態について説明する。
本実施形態に係るスロットルグリップ装置は、図１４に示すように、二輪車のハンドルパイプＨに取り付けられたスロットルグリップＧの回転角度を検出し、その検出信号を二輪車が搭載するＥＣＵ等電子制御装置に送信するためのもので、図１４〜２０に示すように、連動部材１と、磁気センサ２（回転角度検出手段）と、リターンスプリング３と、保持部材４と、スライド部材５と、逆回転用リターンスプリング６と、ケースＣとを有して構成されている。
【００６１】
連動部材１は、車両のスロットルグリップＧの回転操作と共に回転し得るもので、図１７、１８に示すように、略円筒形状の樹脂成形品から成り、スロットルグリップＧの嵌合部Ｇａ（図１５参照）を嵌合し得る被嵌合部１ａと、リターンスプリング３を収容するための収容凹部１ｂと、リターンスプリング３の一端３ａを係止するための係止部１ｃと、所定位置で突出したストッパ部１ｄとが形成されている。
【００６２】
また、本実施形態に係る連動部材１は、その一方の端面に円弧状の磁石ｍが取り付けられている。かかる磁石ｍは、周方向に対して磁界が連続的に変化するよう構成されており、連動部材１の回転に伴って回動し得るようになっている。かかる磁石ｍは、円弧状に屈曲しつつ高さが連続的に変化するヘリカル面を有したものであってもよく、その場合、連動部材１に取り付けられた状態で、ヘリカル面と対峙させて磁気センサ２（回転角度検出手段）を配設させる必要がある。
【００６３】
さらに、収容凹部１ｂは、連動部材１の一方の端面において円環状に形成された溝形状から成り、その一部と連続した係止部１ｃが形成されている。そして、収容凹部１ｂにリターンスプリング３を収容すると、図１９、２０に示すように、コイル部３ｃが収容凹部１ｂに嵌入されるとともに、一端３ａが係止部１ｃに嵌入して係止されるようになっている。これにより、リターンスプリング３が連動部材１に内在されることとなり、幅寸法を小さくすることができる。
【００６４】
本実施形態に係るスロットルグリップＧは、運転者が把持可能とされて二輪車のハンドルパイプＨ（図１６参照）に対して回転操作可能なもので、図１４に示すように、運転者の手前側に向かう方向に回転させる正方向（α１）の回転操作と、運転者から遠ざかる方向に回転させる逆方向（α２）の回転操作との両方の操作が可能とされている。そして、本実施形態においては、スロットルグリップＧが正方向α１に回転操作されたとき、当該スロットルグリップＧ及び連動部材１を初期位置に向かって回転方向に付勢するリターンスプリング３と、スロットルグリップＧが逆方向α２に回転操作されたとき、当該スロットルグリップＧ及び連動部材１を初期位置に向かって回転方向に付勢する逆回転用リターンスプリング６とを具備している。
【００６５】
リターンスプリング３は、第１の実施形態と同様、スロットルグリップＧの正方向α１の回転操作時、当該スロットルグリップＧ及び連動部材１を初期位置に向かって回転方向に付勢するねじりコイルバネから成り、図９に示すように、連動部材１の係止部１ｃに係止される一端３ａ、保持部材４の係止部４ａに係止される他端３ｂ、及び一端３ａ及び他端３ｂの間に位置するコイル部３ｃとを有して構成されている。
【００６６】
このように、リターンスプリング３は、その一端３ａが連動部材１に取り付けられ、且つ、他端３ｂが保持部材４に取り付けられて組み付けられており、スロットルグリップＧを正方向α１に回転させると、リターンスプリング３の付勢力に抗して連動部材１が回転するので、その付勢力がスロットルグリップＧに伝わり、スロットルグリップＧ及び連動部材１を初期位置に戻す力が作用するのである。
【００６７】
逆回転用リターンスプリング６は、スロットルグリップＧの逆方向α２の回転操作時、当該スロットルグリップＧ及び連動部材１を初期位置に向かって回転方向に付勢するコイルバネから成り、連動部材１において弧状に形成された収容凹部１ｉ（図１７参照）に収容されている。また、連動部材１の収容凹部１ｉには、図１９、２０に示すように、スライド部材５が取り付けられ、かかるスライド部材５の移動によって逆回転用リターンスプリング６が圧縮されて付勢力が生じ得るようになっている。
【００６８】
スライド部材５は、図１９、２０に示すように、連動部材１の周方向に延びる円弧状部品から成り、図２４〜２７に示すように、逆回転用リターンスプリング６を保持する収容凹部５ａと、逆転用リターンスプリング６の一端を受けるバネ受け部５ｂと、保持部材４の保持部４ｃ（図２３参照）と当接する当接部５ｃと、連動部材１に形成された案内溝１ｇ（図２２参照）に挿通する突出部５ｄとが一体的に形成されている。
【００６９】
そして、逆回転用リターンスプリング６が収容凹部５ａに保持された状態のスライド部材５を連動部材１の収容凹部１ｉに収容すると、逆回転用リターンスプリング６の一端がスライド部材５のバネ受け部５ｂに当接するとともに、当該逆回転用リターンスプリング６の他端が収容凹部５ａの壁部に当接するようになっている。これにより、スロットルグリップＧが逆方向α２に回転操作されたとき、当該スライド部材５が連動部材１に対して周方向に移動して逆回転用リターンスプリング６を圧縮し、当該逆回転用リターンスプリング６の圧縮で生じた付勢力がスロットルグリップＧに付与されるので、スロットルグリップＧ及び連動部材１を初期位置に戻す力が作用することとなる。
【００７０】
また、スライド部材５が連動部材１の収容凹部１ｉに組み付けられると、当該スライド部材５の突出部５ｄが連動部材１の案内溝１ｇに挿通するよう構成されており、スロットルグリップＧが逆方向α２に回転操作されたとき、突出部５ｄが案内溝１ｇに沿って移動するので、スライド部材５の移動が案内溝１ｇにて案内されることとなる。これにより、スライド部材５の移動を円滑且つ正確に行わせることができる。
【００７１】
磁気センサ２（回転角度検出手段）は、図１５、１６に示すように、下ケースＣａの所定位置に配設されたセンサから成り、磁石ｍから生じる磁気の変化を検出することにより、連動部材１の回転角度を検出し、スロットルグリップＧの回転角度を検出可能とされている。具体的には、磁気センサ２は、磁石ｍの磁場変化（磁束密度の変化）に応じた出力電圧を得ることができるもので、例えばホール効果を利用した磁気センサであるホール素子（具体的には、磁石ｍの磁場（磁束密度）に比例した出力電圧を得ることができるリニアホールＩＣ）等により構成されている。しかして、スロットルグリップＧが回転操作されて連動部材１が回転するのに伴い、磁石ｍが回動すると、磁気が変化することとなる。
【００７２】
これにより、連動部材１の回転角度によって磁気が変化するので、当該回転角度に応じた出力電圧を得ることができ、当該出力電圧に基づき連動部材１の回転角度（即ち、スロットルグリップＧの回転角度）を検出することが可能とされている。このように検出されたスロットルグリップＧの回転角度は、二輪車に搭載されたＥＣＵ（エンジン・コントロール・ユニット）に対して電気信号として送信され、送信されたスロットルグリップＧの回転角度に応じて車両のエンジンが制御され得るようになっている。なお、図中符号ｈは、磁気センサ２から延設された配線を示しており、かかる配線ｈを介して車両側に検出信号が送信されるよう構成されている。
【００７３】
また、本実施形態に係る磁気センサ２は、スロットルグリップＧの正方向α１及び逆方向α２の回転操作を検出可能とされている。これにより、運転者がスロットルグリップＧを把持しつつ初期位置から正方向α１に回転操作することにより、当該スロットルグリップＧの回転角度に応じてエンジンＥを制御することができ、任意速度による走行が可能となるとともに、スロットルグリップＧｗを初期位置から逆方向α２に回転操作することにより、車両に搭載された電装品（例えば、クルーズコントロールのキャンセル機能等）を作動又は非作動とすることができる。
【００７４】
さらに、本実施形態に係る連動部材１は、図１７〜２０に示すように、内径側にリターンスプリング３が取り付けられるとともに、当該リターンスプリング３の取付位置より外径側の部位に逆回転用リターンスプリング６が取り付けられており、且つ、磁石ｍ及びスライド部材５は、連動部材１の周方向に並設されている。また、本実施形態に係る連動部材１は、磁石ｍ及びスライド部材５が並設された周方向において、バネ７及び押圧部品８が取り付けられており、バネ７の付勢力で押圧部品８が保持部材４に向かって付勢されるよう構成されている。これにより、連動部材１の回転時、所望の摩擦力が付与されて操作感を向上し得るようになっている。
【００７５】
保持部材４は、第１の実施形態と同様、連動部材１を位置決めしつつ回転可能に保持するとともに、リターンスプリング３の他端３ｂを係止しつつ保持するもので、図１０に示すように、リターンスプリング３の他端３ｂを係止する係止部４ａと、連動部材１を位置決めしつつ保持する案内部４ｂと、所定位置に形成された保持部４ｃとが形成された金属製の板状部材から成る。なお、保持部材４の所定位置には、ネジ穴ｎが形成されており、下ケースＣａ内の所定位置に保持部材４をネジ止め可能とされている。
【００７６】
係止部４ａは、保持部材４の一部を折り曲げ形成して得られた部位から成るもので、リターンスプリング３の他端３ｂを確実に係止し得るよう構成されている。案内部４ｂは、保持部材４の一部をバーリング加工等により円環状に突出形成された部位から成り、図１５に示すように、連動部材１に一体形成された円環状壁部１ｅ（図２０参照）を挿通することにより連動部材１を回転可能に嵌合して位置決め（特に、径方向の位置決め）可能とされている。
【００７７】
保持部４ｃは、図２２、２３に示すように、スライド部材５の当接部５ｃと当接して周方向に保持する部位から成るもので、スロットルグリップＧが逆方向α２に回転操作されて同方向に連動部材１が回転する際、スライド部材５を係止して同方向に対する回転を規制することにより、連動部材１とスライド部材５とを相対的に移動させ得るようになっている。これにより、スロットルグリップＧが逆方向α２に回転操作されると、連動部材１とスライド部材５とが相対的に移動して逆回転用リターンスプリング６を圧縮し、当該逆回転用リターンスプリング６の圧縮で生じた付勢力がスロットルグリップＧに付与されることとなる。なお、スロットルグリップＧが逆方向α２に所定角度回転操作されると、連動部材１のストッパ部１ｄが保持部４ｃで係止された当接部５ｃに当接することとなり、それ以上の回転操作が規制される。
【００７８】
一方、スロットルグリップＧが逆方向α２に回転操作された場合は、リターンスプリング３の付勢力が逆回転用リターンスプリング６で生じる付勢力とは反対方向に発生するものの、当該逆回転用リターンスプリング６の方がリターンスプリング３の付勢力よりも大きく設定されているため、逆回転用リターンスプリング６の付勢力のみが連動部材１及びスロットルグリップＧに付与されることとなる。なお、スロットルグリップＧが正方向α１に回転操作されると、スライド部材５の当接部５ｃは保持部４ｃと離間する方向に移動するので、連動部材１と共にスライド部材５が回転して逆回転用リターンスプリング６による付勢力は生じない。
【００７９】
加えて、本実施形態においては、収容凹部１ｂにリターンスプリング３を収容した状態において、リターンスプリング３の他端３ｂを保持部材４の係止部４ａに係止した後、リターンスプリング３のコイル部３ｃが捩れて所定の付勢力が生じる方向に保持部材４及び連動部材１を相対的に一定角度回転させ、スライド部材５の当接部５ｃに保持部材４の保持部４ｃを当接させる。
【００８０】
しかるに、本実施形態に係るリターンスプリング３は、逆回転用リターンスプリング６より初期設定荷重が低く設定されているので、当接部５ｃ及び保持部４ｃの当接状態においては、逆回転用リターンスプリング６の圧縮はなされず、保持部材４の保持部４ｃがリターンスプリング３の付勢力を受けることとなり、保持部材４がリターンスプリング３で付勢された連動部材１を保持することができる。
【００８１】
これにより、保持部材４は、収容凹部１ｂに収容されたリターンスプリング３の他端３ｂを係止して連動部材１を所定の付勢力を持って保持するので、図２１〜２３に示すように、連動部材１、リターンスプリング３及び逆回転用リターンスプリング６が一体構成とされる。このように、保持部材４により一体構成とされた連動部材１、リターンスプリング３及び逆回転用リターンスプリング６は、ユニットＹとされ、図１５に示すように、ケースＣ内の所定位置に取り付けられて固定される。
【００８２】
さらに、本実施形態に係るリターンスプリング３は、第１の実施形態と同様、回転方向（スロットルグリップＧを正方向α１に回転した際の初期位置に向かう方向）に加え、連動部材１を軸方向βに付勢するものとされている。具体的には、本実施形態に係るリターンスプリング３は、図９に示すように、隣合う巻き線の間に隙間を生じさせたコイル部３ｃとされており、保持部材４により一体構成とされた状態（図２１〜２３で示すユニットＹとされた状態）において、図１５に示すように、ケースＣに収容されると、コイル部３ｃの巻き線の間の隙間が小さくなる方向に圧縮されることとなり、連動部材１を軸方向βに付勢するようになっている。
【００８３】
これにより、連動部材１は、リターンスプリング３による軸方向βの付勢力にて一方の端面がケースＣの内周面に押圧された状態で組み付けられることとなる。したがって、スロットルグリップＧを回転操作すると、連動部材１がリターンスプリング３又は逆回転用リターンスプリング６の付勢力に抗して回転し、当該連動部材１の一方の端面がケースＣの内周面に押圧された状態で摺動することとなる。
【００８４】
次に、本発明に係る第３の実施形態について説明する。
本実施形態に係るスロットルグリップ装置は、図２８に示すように、二輪車のハンドルパイプＨに取り付けられたスロットルグリップＧの回転角度を検出し、その検出信号を二輪車が搭載するＥＣＵ等電子制御装置に送信するためのもので、図２８〜３７に示すように、連動部材１と、磁気センサ２（回転角度検出手段）と、リターンスプリング３と、保持部材４と、スライド部材５と、逆回転用リターンスプリング６と、ケースＣと、マイクロスイッチＳとを有して構成されている。
【００８５】
連動部材１は、車両のスロットルグリップＧの回転操作と共に回転し得るもので、図２２、３４に示すように、略円筒形状の樹脂成形品から成り、スロットルグリップＧの嵌合部Ｇａ（図２９参照）を嵌合し得る被嵌合部１ａと、リターンスプリング３を収容するための収容凹部１ｂと、リターンスプリング３の一端３ａを係止するための係止部１ｃと、所定位置で突出したストッパ部１ｄとが形成されている。
【００８６】
また、本実施形態に係る連動部材１は、その一方の端面に円弧状の磁石ｍが取り付けられている。かかる磁石ｍは、周方向に対して磁界が連続的に変化するよう構成されており、連動部材１の回転に伴って回動し得るようになっている。かかる磁石ｍは、円弧状に屈曲しつつ高さが連続的に変化するヘリカル面を有したものであってもよく、その場合、連動部材１に取り付けられた状態で、ヘリカル面と対峙させて磁気センサ２（回転角度検出手段）を配設させる必要がある。
【００８７】
さらに、収容凹部１ｂは、連動部材１の一方の端面において円環状に形成された溝形状から成り、その一部と連続した係止部１ｃが形成されている。そして、収容凹部１ｂにリターンスプリング３を収容すると、図３５、３６に示すように、コイル部３ｃが収容凹部１ｂに嵌入されるとともに、一端３ａが係止部１ｃに嵌入して係止されるようになっている。これにより、リターンスプリング３が連動部材１に内在されることとなり、幅寸法を小さくすることができる。
【００８８】
さらに、本実施形態に係る連動部材１は、図３３〜３７に示すように、外径方向に一体的に突出形成された突出部１ｈを有している。かかる突出部１ｈは、一方の面に傾斜面Ｑが形成されており、図４０に示すように、上ケースＣｂに取り付けられたマイクロスイッチＳの作動部Ｓａを傾斜面Ｑにて押圧可能とされている。すなわち、上ケースＣｂの所定位置に形成された取付部Ｃｂ１には、取付ボルトｆにて取付部品Ｔが固定されており、かかる取付部品ＴにマイクロスイッチＳが取り付けられている。
【００８９】
本実施形態に係るマイクロスイッチＳは、突出及び後退して作動可能な作動部Ｓａを具備しており、図４１に示すように、その作動部Ｓａの作動方向が突出部１ｈの一方の面に対して直交する方向となるよう取り付けられている。そして、連動部材１が逆方向α２に回転すると、マイクロスイッチＳの作動部Ｓａが傾斜面Ｑにて押圧されて後退し、スイッチが電気的にオンするようになっている。
【００９０】
ケースＣは、第１、２の実施形態と同様、二輪車（車両）のハンドルパイプＨ（図３０参照）の先端側（スロットルグリップＧの基端側）に固定されたもので、図３０、３１に示すように、下ケースＣａ及び上ケースＣｂをボルトＢ（図３０参照）にて組み付けて構成される。これら下ケースＣａ及び上ケースＣｂには、図３２に示すように、それぞれ収容凹部が形成されており、下ケースＣａ及び上ケースＣｂが組み付けられることにより、内部に収容空間が形成されるようになっている。なお、下ケースＣａの壁面には、図３２に示すように、ネジ穴ｎが形成されており、下ケースＣａ内の所定位置に保持部材４をネジ止め可能とされている。
【００９１】
なお、磁気センサ２（回転角度検出手段）、リターンスプリング３、保持部材４、スライド部材５、逆回転用リターンスプリング６、バネ７及び押圧部品８については、第１、２の実施形態と同様の部品であり、詳細な説明を省略する。また、本実施形態に係るスロットルグリップＧは、第２の実施形態と同様、運転者が把持可能とされて二輪車のハンドルパイプＨ（図３０参照）に対して回転操作可能なもので、図２８に示すように、運転者の手前側に向かう方向に回転させる正方向（α１）の回転操作と、運転者から遠ざかる方向に回転させる逆方向（α２）の回転操作との両方の操作が可能とされている。
【００９２】
しかるに、本実施形態に係るリターンスプリング３は、第２の実施形態と同様、逆回転用リターンスプリング６より初期設定荷重が低く設定されているので、当接部５ｃ及び保持部４ｃの当接状態においては、逆回転用リターンスプリング６の圧縮はなされず、保持部材４の保持部４ｃがリターンスプリング３の付勢力を受けることとなり、保持部材４がリターンスプリング３で付勢された連動部材１を保持することができる。
【００９３】
これにより、保持部材４は、収容凹部１ｂに収容されたリターンスプリング３の他端３ｂを係止して連動部材１を所定の付勢力を持って保持するので、図３５〜３９に示すように、連動部材１、リターンスプリング３及び逆回転用リターンスプリング６が一体構成とされる。このように、保持部材４により一体構成とされた連動部材１、リターンスプリング３及び逆回転用リターンスプリング６は、ユニットＹとされ、図２９、３１に示すように、ケースＣ内の所定位置に取り付けられて固定される。
【００９４】
さらに、本実施形態に係るリターンスプリング３は、第１、２の実施形態と同様、回転方向（スロットルグリップＧを正方向α１に回転した際の初期位置に向かう方向）に加え、連動部材１を軸方向βに付勢するものとされている。具体的には、本実施形態に係るリターンスプリング３は、図９に示すように、隣合う巻き線の間に隙間を生じさせたコイル部３ｃとされており、保持部材４により一体構成とされた状態（図３５〜３９で示すユニットＹとされた状態）において、図２９、３１に示すように、ケースＣに収容されると、コイル部３ｃの巻き線の間の隙間が小さくなる方向に圧縮されることとなり、連動部材１を軸方向βに付勢するようになっている。
【００９５】
これにより、連動部材１は、リターンスプリング３による軸方向βの付勢力にて一方の端面がケースＣの内周面に押圧された状態で組み付けられることとなる。したがって、スロットルグリップＧを回転操作すると、連動部材１がリターンスプリング３又は逆回転用リターンスプリング６の付勢力に抗して回転し、当該連動部材１の一方の端面がケースＣの内周面に押圧された状態で摺動することとなる。
【００９６】
ここで、本実施形態に係るスロットルグリップ装置においては、スロットルグリップＧが初期位置から正方向α１に回転操作されたとき、磁気センサ２で検出されたスロットルグリップＧの回転角度に応じて車両のエンジンを制御可能とされ、スロットルグリップＧが初期位置から逆方向α２に回転操作されたとき、車両に搭載された電装品（例えば、クルーズコントロールのキャンセル機能等）を作動又は非作動とするようになっている。
【００９７】
具体的には、本実施形態に係る磁気センサ２は、スロットルグリップＧの正方向α１の回転操作を検出可能とされるとともに、スロットルグリップＧの逆方向α２の回転操作をマイクロスイッチＳにて検出可能とされており、かかるマイクロスイッチＳは、車両に搭載された電装品と電気的に接続されている。そして、スロットルグリップＧが初期位置から逆方向α２に回転したことをマイクロスイッチＳにて検出されると、その検出信号が出力され、車両に搭載された電装品を作動又は非作動とするよう構成されている。
【００９８】
これにより、運転者がスロットルグリップＧを把持しつつ初期位置から正方向α１に回転操作することにより、当該スロットルグリップＧの回転角度に応じてエンジンＥを制御することができ、任意速度による走行が可能となるとともに、スロットルグリップＧｗを初期位置から逆方向α２に回転操作することにより、車両に搭載された電装品（例えば、クルーズコントロールのキャンセル機能等）を作動又は非作動とすることができる。
【００９９】
上記第２、３の実施形態によれば、スロットルグリップＧは、正方向α１及び逆方向α２に回転操作可能とされるとともに、スロットルグリップＧが初期位置から正方向α１に回転操作されたとき、当該スロットルグリップＧ及び連動部材１をリターンスプリング３により初期位置に向かって回転方向に付勢するものとされ、且つ、スロットルグリップＧが初期位置から逆方向α２に回転操作されたとき、当該スロットルグリップＧ及び連動部材１を初期位置に向かって回転方向に付勢する逆回転用リターンスプリング６を具備したので、スロットルグリップＧの正方向α１の回転操作時と逆方向α２の回転操作時との操作感を異ならせることができ、それぞれの操作時において適切な付勢力を付与させることができる。
【０１００】
さらに、上記第２、３の実施形態に係る連動部材１は、内径側にリターンスプリング３が取り付けられるとともに、当該リターンスプリング３の取付位置より外径側の部位に逆回転用リターンスプリング６が取り付けられたので、連動部材１の径方向にリターンスプリング３及び逆回転用リターンスプリング６を配設することができ、幅方向の寸法が増大してしまうのを抑制することができる。
【０１０１】
またさらに、上記第２、３の実施形態に係る連動部材１は、逆回転用リターンスプリング６を保持したスライド部材５が取り付けられるとともに、スロットルグリップＧが逆方向α２に回転操作されたとき、当該スライド部材５が連動部材１に対して移動して逆回転用リターンスプリング６を圧縮し、当該逆回転用リターンスプリング６の圧縮で生じた付勢力がスロットルグリップＧに付与されるので、スロットルグリップＧの逆方向α２の回転力をスライド部材５に円滑且つ確実に伝達させることができ、スロットルグリップＧに対して逆回転用リターンスプリング６の付勢力を効率的に付与させることができる。
【０１０２】
加えて、上記第２、３の実施形態に係るスライド部材５は、連動部材１の周方向に延びる円弧状部品から成り、スロットルグリップＧが逆方向α２に回転操作されたとき、連動部材１の周方向に移動して逆回転用リターンスプリング６を圧縮可能とされたので、スライド部材５及びその移動範囲を連動部材１に対して容易に形成することができる。
【０１０３】
また、上記第２、３の実施形態に係る磁気センサ２（回転角度検出手段）は、連動部材１の所定位置に取り付けられた磁石ｍから生じる磁気の変化を検出することにより連動部材１の回転角度を検出し得るセンサから成るとともに、磁石ｍ及びスライド部材５は、連動部材１の周方向に並設されたので、連動部材１の径方向の寸法が増大してしまうのを抑制することができ、スロットルグリップ装置の小型化を図ることができる。
【０１０４】
さらに、第２の実施形態によれば、スロットルグリップＧの正方向α１及び逆方向α２の回転操作を磁気センサ２（回転角度検出手段）で検知可能とされたので、スロットルグリップＧの逆方向α２の回転操作を検知するための別個のスイッチを不要とすることができ、部品点数を削減することができる。一方、第３の実施形態によれば、スロットルグリップＧの正方向α１の回転操作を磁気センサ２（回転角度検出手段）で検知するとともに、スロットルグリップＧの逆方向α２の回転操作を検知可能なマイクロスイッチＳを具備したので、スロットルグリップＧの逆方向α２の回転操作をマイクロスイッチＳにより確実に検知することができ、エンジン始動時の操作性をより向上させることができる。
【０１０５】
特に、第３の実施形態によれば、マイクロスイッチＳは、突出及び後退して作動可能な作動部Ｓａを具備するとともに、連動部材１は、一方の面に傾斜面Ｑを有する突出部１ｈが形成され、且つ、作動部Ｓａの作動方向が連動部材１の突出部１ｈの一方の面に対して直交する方向となるようマイクロスイッチＳが取り付けられ、連動部材１が逆方向α２に回転すると、作動部Ｓａが傾斜面Ｑにて押圧されてオンするので、連動部材１が逆方向α２に回転した際、マイクロスイッチＳの作動部Ｓａを適正なストロークの範囲で押圧させることができる。
【０１０６】
以上、本実施形態について説明したが、本発明はこれに限定されるものではなく、例えば図４２、４３に示すように、連動部材１がスロットルグリップＧ（具体的には、スロットルグリップＧの芯材Ｇｂ）と一体とされたものであってもよい。かかる連動部材１は、上記実施形態と同様、保持部材４によって保持されてリターンスプリング３と一体構成とされる。この場合、連動部材１がスロットルグリップＧと別体とされたものに比べ、部品点数を削減することができるとともに、スロットルグリップ装置の組み付け作業性を向上させることができる。
【０１０７】
さらに、スロットルグリップＧの回転角度を検出する磁気センサ２に代えて、他の汎用的なセンサ（磁石の磁気を検出するものに限らないとともに、非接触式のセンサに限らず接触式のセンサ等も含む）としてもよい。またさらに、磁石ｍに代えて、連動部材１の周方向に着磁したものであってもよい。なお、適用される車両は、本実施形態の如く二輪車に限定されるものではなく、ハンドルバーＨを有した他の車両（例えばＡＴＶやスノーモービル等）に適用してもよい。
【産業上の利用可能性】
【０１０８】
連動部材は、リターンスプリング３を収容する収容凹部１ｂを有するとともに、当該収容凹部１ｂに収容されたリターンスプリング３の他端３ｂを係止した状態で連動部材１に取り付けられ、連動部材１及びリターンスプリング３を一体構成とする保持部材４を具備したスロットルグリップ装置であれば、外観形状が異なるもの或いは他の機能が付加されたもの等にも適用することができる。
【符号の説明】
【０１０９】
１  連動部材
１ａ  被嵌合部
１ｂ  収容凹部
１ｃ  係止部
１ｄ  ストッパ部
１ｅ  円環状壁部
１ｆ  収容穴
１ｇ  案内溝
１ｈ  突出部
１ｉ  収容凹部
２  磁気センサ（回転角度検出手段）
３  リターンスプリング
３ａ  一端
３ｂ  他端
３ｃ  コイル部
４  保持部材
４ａ  係止部
４ｂ  案内部
４ｃ  保持部
５  スライド部材
５ａ  収容凹部
５ｂ  バネ受け部
５ｃ  当接部
５ｄ  突出部
６  逆回転用リターンスプリング
７  バネ
８  押圧部品
Ｃ  ケース
Ｃａ  下ケース
Ｃｂ  上ケース
ｍ  磁石
ｈ  配線
Ｑ  傾斜面
ｆ  取付ボルト
Ｃｂ１  取付部
Ｔ  取付部品
Ｓ  マイクロスイッチ
Ｓａ  作動部
Ｙ  ユニット
【図１】
2020122476.tif 000003
【図２】
2020122476.tif 000004
【図３】
2020122476.tif 000005
【図４】
2020122476.tif 000006
【図５】
2020122476.tif 000007
【図６】
2020122476.tif 000008
【図７】
2020122476.tif 000009
【図８】
2020122476.tif 000010
【図９】
2020122476.tif 000011
【図１０】
2020122476.tif 000012
【図１１】
2020122476.tif 000013
【図１２】
2020122476.tif 000014
【図１３】
2020122476.tif 000015
【図１４】
2020122476.tif 000016
【図１５】
2020122476.tif 000017
【図１６】
2020122476.tif 000018
【図１７】
2020122476.tif 000019
【図１８】
2020122476.tif 000020
【図１９】
2020122476.tif 000021
【図２０】
2020122476.tif 000022
【図２１】
2020122476.tif 000023
【図２２】
2020122476.tif 000024
【図２３】
2020122476.tif 000025
【図２４】
2020122476.tif 000026
【図２５】
2020122476.tif 000027
【図２６】
2020122476.tif 000028
【図２７】
2020122476.tif 000029
【図２８】
2020122476.tif 000030
【図２９】
2020122476.tif 000031
【図３０】
2020122476.tif 000032
【図３１】
2020122476.tif 000033
【図３２】
2020122476.tif 000034
【図３３】
2020122476.tif 000035
【図３４】
2020122476.tif 000036
【図３５】
2020122476.tif 000037
【図３６】
2020122476.tif 000038
【図３７】
2020122476.tif 000039
【図３８】
2020122476.tif 000040
【図３９】
2020122476.tif 000041
【図４０】
2020122476.tif 000042
【図４１】
2020122476.tif 000043
【図４２】
2020122476.tif 000044
【図４３】
2020122476.tif 000045